(57)【要約】【課題】傾斜運搬経路が短い階段等の使用に適し、大掛かりではない、コンパクトな器具による、工程及び作業時間が削減された重量物運搬具を提供する。【解決手段】Ｌ型に形成した部材、２本で本体を設け、部材の角部の外側に第１補助輪取付板で複数の第１補助輪を設け、２本の部材の垂直部の下部に補助輪ステーを設け、補助輪ステーの上部に補助輪アームを設け、補助輪アームの先端に複数の第２補助輪を設け、補助輪アームの後端を垂直部の上部に着脱自在、長手方向に固定自在とし、本体の水平部に荷台を設け、荷台の下面に第１補助輪より下方にキャスターを設け、荷台上に重量物を載置し、水平路はキャスターで移動させ、傾斜路は第１補助輪及び第２補助輪が接地して移動させ、第２補助輪アームの位置を変えて第２補助輪の位置を変え、第１補助輪及び第２補助輪による接線を調整自在とした。【選択図】図１
2014133617.tif 000002
【特許請求の範囲】
【請求項１】
Ｌ型に形成した部材を２本、間隔をあけて並設して本体を設け、
上記本体の２本の部材の角部の外側に第１補助輪取付板を介して複数の第１補助輪を横に並べて設け、当該本体の２本の部材から成る垂直部の下部に下端を軸支した補助輪ステーを設け、当該補助輪ステーの上部に、前部を回動自在に軸支した補助輪アームを設け、当該補助輪アームの先端に横に並べた複数の第２補助輪を設け、前記補助輪アームの後端を上記本体の２本の部材から成る垂直部の上部に着脱自在に固定し、かつ補助輪アームの後端の固定位置を長手方向にずらすことを可能とし、
当該本体の下部の水平部に板体から成る荷台を設け、当該荷台の下面の四隅に上記第１補助輪より下方に位置するようにキャスターを設け、
上記荷台上に重量物を載置し、水平路は上記キャスターによって移動させ、傾斜路は上記第１補助輪及び第２補助輪が接地して移動させることとし、
上記第２補助輪アームの固定位置を変えることにより、上記第１補助輪及び第２補助輪によって形成される接線の傾斜角度を調整自在とする構成としたことを特徴とする、重量物運搬具。
【請求項２】
上記第１補助輪取付板は、上記本体の部材の角部の外面に傾斜面を設け、当該傾斜平面に小板体を当てて当該小板体に複数の貫通孔を設け、当該小板体に上記第１補助輪取付板を当接した際、当該第１補助輪取付板の、上記小板体の複数の貫通孔に対向した個所に複数の貫通長孔を設け、上記小板体の貫通孔の位置に対して第１補助輪取付板の貫通長孔の位置を変えてボルトとナットで取り付けることにより上記第１補助輪の取付位置が調整自在な構成としたことを特徴とする、上記請求項１に記載の重量物運搬具。
【請求項３】
上記補助輪アーム後端の上記上部補助輪受けに対する固定を解き、当該補助輪アームを上記補助輪アームステーに寄せ、当該補助輪アームステーを垂直部側に寄せてこれらを折り畳み、
上記補助輪アームの上面前側に設けた舌片を上記本体の２本の部材から成る垂直部の上部にボルト等の係止部材で着脱自在に固定する構成としたことを特徴とする、上記請求項１又は２の何れかに記載の重量物運搬具。
【請求項４】
上記第１補助輪及び第２補助輪を有する本体と、下面にキャスターを有する荷台とは、本体を構成する２本の部材から成る水平部にボルト、ナットにより上記荷台を着脱自在に取り付けられていることを特徴とする、上記請求項１、２又は３の何れかに記載の重量物運搬具。
【発明の詳細な説明】
【技術分野】
【０００１】
この発明は、変電室用変圧器等の重量物を安定して容易に運搬できる重量物運搬具に関し、特に、狭小な階段等の傾斜した運搬路において、有効に使用出来る重量物運搬具に関するものである。
【背景技術】
【０００２】
従来、変電室用変圧器（以下、単に「変圧器」と言う）を建物内の階段等を通って地下室等から地上に運搬するには、例えば、図１３に示す様に、階段等の全経路に適当な間隔を空け、チェーンブロック２３の支持枠となる複数のやぐらＤを設け、各やぐらＤからチェーンブロック２３を吊設し、これらのチェーンブロック２３によって変圧器Ｂを順送りに吊下げて運搬する方法が採られている。
【０００３】
具体的には、第１チェーンブロック２３ａで運搬しようとする変圧器Ｂを吊り上げ、次に第２チェーンブロック２３ｂのチェーンを伸ばして上記変圧器Ｂを吊り上げ、続いて第１チェーンブロック２３ａのチェーンを伸ばすとともに変圧器Ｂを第２チャーンブロック２３ｂの方へ移動させて変圧器Ｂの吊下げを第２チェーンブロック２３ｂへ移し、以下同じ要領により主に空中にて全運搬経路を移動させている。
【０００４】
この様な運搬方法をおいては、変圧器を移動させる速度が極めて遅い。また、運搬経路の全長にわたり変圧器を移動させるための複数のやぐらの設置、撤去が必要となり多大な手間と時間を必要とする。さらに、移動に際して、変圧器を大きく揺らすと、絶縁油が漏れてしまう可能性が有り、大きく揺らすことは適切ではない。
【０００５】
これらの課題を解決するものとして、特許文献１に記載されたものが有る。この特許文献１に記載された重量物運搬装置は、(A)変圧器を積載して水平路を運搬する水平台車と、(B)上記水平台車を積載する上部フレームの一端と、傾斜路に沿って転動する複数のローラを有する下部フレームの一端とを互いに回動自在に連結するとともに、上記両フレームの他端に、上記水平台車の積み降ろし時において取外し可能で、かつ伸縮自在に構成されたジャッキを取付け、このジャッキにより連結される上記両フレーム間の距離を調整し得るようにした傾斜台車と、(C)上記傾斜台車を傾斜路に沿って走行可能に支持する傾斜台車用ウインチとを具備して成るものである。
【特許文献１】実公平８−１２７８号公報
【発明の開示】
【発明が解決しようとする課題】
【０００６】
しかしながら、上記特許文献１の装置では、傾斜した運搬路に、ガイドレールを据付、また、水平台車は上部フレームと下部フレームから成り、これらの上下のフレームの各他端にはこれらのフレームの角度を調整する油圧ジャッキを設けており、当該ガイドレールの据付、調整及び撤去に多くの手間と時間がかかり、また、装置としても大掛りなものとなっている。その結果、運搬経路が短い狭小な階段等では、上記ガイドレールを据え付けられず、用いることは出来ない。また、装置が大掛りだと費用もかかる。
【０００７】
この発明は、これらの点に鑑みて為されたもので、傾斜運搬経路が短い、折り返しが多い階段等の使用に適し、構造が極めて簡単で、コンパクトな器具による、工程及び作業時間が削減できる重量物運搬具を提供して上記課題を解決するものである。
【課題を解決するための手段】
【０００８】
請求項１の発明は、Ｌ型に形成した部材を２本、間隔をあけて並設して本体を設け、上記本体の２本の部材の角部の外側に第１補助輪取付板を介して複数の第１補助輪を横に並べて設け、当該本体の２本の部材から成る垂直部の下部に下端を軸支した補助輪ステーを設け、当該補助輪ステーの上部に、前部を回動自在に軸支した補助輪アームを設け、当該補助輪アームの先端に横に並べた複数の第２補助輪を設け、前記補助輪アームの後端を上記本体の２本の部材から成る垂直部の上部に着脱自在に固定し、かつ補助輪アームの後端の固定位置を長手方向にずらすことを可能とし、当該本体の下部の水平部に板体から成る荷台を設け、当該荷台の下面の四隅に上記第１補助輪より下方に位置するようにキャスターを設け、上記荷台上に重量物を載置し、水平路は上記キャスターによって移動させ、傾斜路は上記第１補助輪及び第２補助輪が接地して移動させることとし、上記第２補助輪アームの固定位置を変えることにより、上記第１補助輪及び第２補助輪によって形成される接線の傾斜角度を調整自在とする構成とした重量物運搬具とした。
【０００９】
請求項２の発明は、上記第１補助輪取付板は、上記本体の部材の角部の外側に傾斜平面を設け、当該傾斜平面に小板体を当てて当該小板体に複数の貫通孔を設け、当該小板体に上記第１補助輪取付板を当接した際、当該第１補助輪取付板の、上記小板体の複数の貫通孔に対向した個所に複数の貫通長孔を設け、上記小板体の貫通孔の位置に対して第１補助輪取付板の貫通長孔の位置を変えてボルトとナットで取り付けることにより上記第１補助輪の取付位置が調整自在な構成とした上記請求項１に記載の重量物運搬具とした。
【００１０】
請求項３の発明は、上記補助輪アーム後端の上記上部補助輪受けに対する固定を解き、当該補助輪アームを上記補助輪アームステーに寄せ、当該補助輪アームステーを垂直部側に寄せてこれらを折り畳み、上記補助輪アームの上面前側に設けた舌片を上記本体の２本の部材から成る垂直部の上部にボルト等の係止部材で着脱自在に固定する構成とした上記請求項１又は２の何れかに記載の重量物運搬具とした。
【００１１】
請求項４の発明は、上記第１補助輪及び第２補助輪を有する本体と、下面にキャスターを有する荷台とは、本体を構成する２本の部材から成る水平部にボルト、ナットにより上記荷台を着脱自在に取り付けられている上記請求項１、２又は３の何れかに記載の重量物運搬具とした。
【発明の効果】
【００１２】
請求項１の発明によれば、水平な運搬路は、荷台のキャスターによって移動し、傾斜した運搬路は、第１補助輪及び第２補助輪によって移動すれば良く、従来のガイドレールなどの大掛かりな装置が不要となり、簡単な構造で、工定や作業時間が大きく削減された重量物運搬具を提供できる。
【００１３】
また、その際、上記第１補助輪及び第２補助輪によって形成される接線を調整自在としたので、傾斜路の傾斜角度に応じて柔軟に対応することが出来、多くの運搬路でこの重量物運搬具を使用出来、使い勝手が良いものである。
【００１４】
請求項２の発明によれば、第１補助輪の取付位置を調整自在に設けたので、第１補助輪と荷台の後側のキャスターと適切な距離を維持でき、傾斜した運搬路及び水平な運搬路との境目の運搬における衝撃を少なくし、安全な運搬が可能となる。
【００１５】
請求項３の発明によれば、第２補助輪を本体の垂直部側に折り畳み自在に設けたので、第２補助輪を使用しない時、じゃまにならない。また、昇降途中にある水平で狭小なスペースにおいて、この重量物運搬具を回転させる時にも一時的に、この第２補助輪を折り畳む構成は有効となる。
【００１６】
請求項４の発明によれば、本体と荷台とは、着脱自在に取り付けられているので、この重量物運搬具を車に積んで持ち運ぶ際や、使用しないで保管する時には、荷台を外しておくと余計なスペースを取らないで済み、コンパクトかつ省スペースとなる。
【図面の簡単な説明】
【００１７】
【図１】この発明の実施の形態例の重量物運搬具の側面図である。
【図２】この発明の実施の形態例の重量物運搬具の背面図である。
【図３】この発明の実施の形態例の重量物運搬具の一部底面図である。
【図４】この発明の実施の形態例の重量物運搬具の本体の側面図である。
【図５】この発明の実施の形態例の重量物運搬具の本体の背面図である。
【図６】この発明の実施の形態例の重量物運搬具の本体の一部底面図である。
【図７】この発明の実施の形態例の重量物運搬具の概略構成を示す後方斜視図である。
【図８】この発明の実施の形態例の重量物運搬具の本体の第１補助輪取付板の正面図である。
【図９】この発明の実施の形態例の重量物運搬具の本体の上部補助輪受けに補助輪アームの後端を被せ、アーム固定ボルト及びアーム固定ナットを用いて螺着する様子を示す斜視図である。
【図１０】この発明の実施の形態例の重量物運搬具を使用して狭小な階段で重量物を運搬している状態を示す概略図である。
【図１１】この発明の実施の形態例の重量物運搬具を使用して傾斜した運搬路を上った際、水平路と第１補助輪と荷台の後側のキャスターの位置関係を示す概略図である。
【図１２】この発明の実施の形態例の重量物運搬具の第２補助輪を本体の垂直部側に折り畳んだ状態を示す一部側面図である。
【図１３】従来のやぐらを複数設置して重量物を運搬している様子を示す概略図である。
【発明を実施するための形態】
【００１８】
（実施の形態例）
以下、この発明の実施の形態例の重量物運搬具を図に基づいて説明する。この実施の形態例の重量物運搬具Ａは、いわゆる台車を改良したものであり、図１、図２、図３に示す様に、この台車は、本体１と荷台２から成る。
【００１９】
最初に、本体１から説明する。本体１は、図４、図５、図６に示す様に、アングル材から成るＬ型に形成した部材を２本、一定の間隔をあけて並べて立設して形成している。この本体１は、２本の垂直部１ａ、２つの角部１ｂ及び２本の水平部１ｃから成る。上記各角部１ｂの外側は、角を取った傾斜平面となっており、これらの２つの各角部の各傾斜平面に、図７に示す様に、略チャネル形状の小板体３を斜めにして当て、２つの角部１ｂにわたして固定している。この小板体３には、補助輪４ａを第１補助輪取付板４ｂに取り付けて形成した第１補助輪４を取り付けるためのボルト３ａの脚部を複数突設している。
【００２０】
上記第１補助輪取付板４ｂは、長方形状であり、図８に示す様に、この第１補助輪取付板４ｂにボルトとナットで３個の補助輪４ａを並設している。また、上記小板体３の複数のボルト３ａの脚部に対向する個所に縦長の貫通長孔４ｃを設け、小板体３に対して、第１補助輪４を取り付ける位置を調整出来るようになっている。
【００２１】
これにより、第１補助輪４と荷台２の後述する後側のキャスターと適切な距離を維持できるので、水平な運搬路と傾斜した運搬路との境目の運搬における後側のキャスターから第１補助輪４への切換えの衝撃を少なくし、安全な運搬が可能となっている。
【００２２】
また、この本体１の各垂直部１ａの略中間部の後側には、図９に示す様に、アングル材１ｇの両端を２つの垂直部１ａにわたして、これを水平に取り付けている。このアングル材１ｇの中央部から、先端付近に水平方向に貫通孔５ａを設けた、小片から成る上部補助輪受け５を突設している。
【００２３】
また、上記各垂直部１ａの下部の後側には、図１に示す様に、チャネル型の小片から成る下部補助輪受け８を夫々突設している。これらの２つの下部補助輪受け８の間には、略逆Ｙ字型の補助輪アームステー９を設け、上記下部補助輪受け８と補助輪アームステー９の両下端の位置を合わせて補助輪アームステー９の両下端が軸支され、補助輪アームステー９は、下部が補助輪受け８に回転自在に支持されている。この補助輪アームステー９の先端９ａは両側面が一定長上方へ突出して、上側が開放したコ字材から成る補助輪アーム６の左右の側面の前側を挟み込んで補助輪アーム６の前部を回転自在に支持している。
【００２４】
また、この補助輪アーム６の先端には、図４に示す様に、この補助輪アーム６が伸びる方向と同じ方向に２個の補助輪７ａを並設して第２補助輪７を設けている。さらに、この補助輪アーム６の上面上の前側に舌片６ｂが立設されており、この舌片６ｂの中央部には貫通孔が設けられている。
【００２５】
また、この補助輪アーム６の後端付近の両側面には、図９に示す様に、複数の貫通孔６ａを対向して連設している。そして、上記第２補助輪７の取付位置が所望の位置になるように、上記補助輪アーム６の後端を上記上部補助輪受け５に被せ、上記補助輪アーム６の貫通孔６ａを選び、上記上部補助輪受け５の貫通孔５ａと位置を合わせ、一方の外側面からアーム固定ボルト１０ａの軸部を嵌め入れ、他方の外側面に出て来た当該アーム固定ボルト１０ａの軸部をアーム固定ナット１０ｂ内に嵌め入れて螺着している。この様に、第１補助輪４と第２補助輪７がある傾斜角度を持って固定されるようになっており、その際の調整は、補助輪アーム６の多数の貫通孔６ａの中から選べば良い。
【００２６】
以上の様に、第２補助輪７の位置を変えることにより、これらの第１補助輪４及び第２補助輪７によって形成される接線の角度を調整できるようになっている。
【００２７】
この本体１の２本の垂直部１ａの上部の後側には、コ字状の取っ手１ｄが夫々設けられており、これらの取っ手１ｄは、もっぱら水平な場所を移動する際に使用する。また、本体１の２本の水平部１ｃを成すアングル材の立設部には前後に貫通孔１ｅを夫々設けており、この立設部の内側の各貫通孔を設けた個所には、図７に示す様に、ナット１ｆを溶接して取り付けている。
【００２８】
続いて、荷台２について説明する。この荷台２は、図３に示す様に、四角形状の板体と当該板体の下面に設けたキャスター１１とから成る。また、この板体の下面には、一定間隔を空けて２本の細長の金属製の板体２ａを、当該荷台２の後端から前端まで並行して垂下させ、この２本の板体２ａには、この２本の板体２ａの間に上記本体１の２本の水平部１ｃを成すアングル材を入れた際、各板体２ａに各水平部１ｃのアングル材が当接し、各アングル材に設けられた貫通孔１ｅに対向する位置に各板体２ａの貫通孔が来るように夫々設けられている。
【００２９】
この様に、上記板体２ａの貫通孔と水平部１ｃの貫通孔１ｅの位置を合わせて、外側からボルト２ｂを差し入れてナット１ｆに螺着して、当該各板体２ａと水平部１ｃを夫々固定し、これにより本体１と荷台２とは接続、固定されている。
【００３０】
また、この荷台２の下面の四隅には上記各板体２ａより下方へ突出したキャスターを設けており、前輪のキャスター１１ａは周囲全方向に可動自在型とし、後輪のキャスター１１ｂは固定型としている。
【００３１】
次に、この重量物運搬具Ａを用いて変圧器Ｂを下層階から上層階へ運搬する様子を説明する。この重量物運搬具Ａを使用する傾斜した運搬路は、図１０に示す様に、運搬路が短い狭小な階段である。
【００３２】
まず、上層階の踊り場の天井面と床面の間に、支持棒２１を４本（但し、図１０では２本のみ記載）、間をあけて立設し、これらの支持棒２１の間の上下に横棒２２を夫々渡して固定してやぐらＣを１つ設ける。これらのやぐらＣの階段側の端部付近に、動力としてチェーンブロック２３を吊設する。その後、運搬経路となる下層階の床面から、階段部分、上層階の床面まで、コンパネ（コンクリートパネル）２４を敷き詰める。
【００３３】
その後、下層階に位置する重量物運搬具Ａの荷台２の上に変圧器Ｂを載置して固定し、これらを一体にする。そして、下層階の水平な個所は、重量物運搬具Ａの荷台２に取り付けた各キャスター１１ａ、１１ｂによって移動し、階段の手前まで来たら、上記チェーンブロック２３のフック２３ａを伸ばして、重量物運搬具Ａ及び変圧器Ｂに掛けまわしたロープから成る被係止具２５を係止する。
【００３４】
また、上記階段を上る前に、予め、階段上に敷き詰められたコンパネ２４の角度と、重量物運搬具Ａの第１補助輪４及び第２補助輪７によって形成される接線の角度を、上記上部補助輪受け５に対して上記補助輪アーム６の後端を被せる位置を調整して合わせておく。
【００３５】
そして、重量物運搬具Ａの第１補助輪４及び第２補助輪７を設けた側を前にし、チェーンブロック２３によって重量物運搬具Ａ及び変圧器Ｂを引き上げると、階段上に敷き詰めたコンパネ２４の上を重量物運搬具Ａの第１補助輪４及び第２補助輪７が当接しながら回転して上って行く。
【００３６】
上記第１補助輪４及び第２補助輪７は、傾斜した運搬路を過ぎると夫々空中に浮いた状態となるが、図１１に示す様に、荷台２の後側のキャスター１１ｂが直ぐに移動して、傾斜面に当接し、傾斜した運搬路及び水平な運搬路との境目の運搬における衝撃を少なくし、安全な運搬が可能となっている。これには、上述の如く第１補助輪４の第１補助輪取付板４ｂの小板体３に対する位置を調整することにより実現出来る。この後、重量物運搬具Ａ及び変圧器Ｂの被係止具２５に引っ掛けたチェーンブロック２３のフック２３ａを外し、上層階の平坦な床面をキャスター１１ａ、１１ｂで移動する。
【００３７】
また、重量物運搬具Ａの第２補助輪７を使用しない時は、図１２に示す様に、折り畳んでおくことが出来る。これは、まず、補助輪アーム６後端の上部補助輪受け５に対するアーム固定ボルト１０ａ及びアーム固定ナット１０ｂによる固定を解き、この補助輪アーム６を上部補助輪受け５から外す。
【００３８】
その後、補助輪アーム６を回動させて先端の第２補助輪７を上方へ位置させ、同時に、この補助輪アーム６の後端部を回動させて下方に位置させ、さらに、補助輪アーム６を補助輪アームステー９の間に入れて重ね、重なった補助輪アーム６と補助輪アームステー９を垂直部１ａ側に寄せる。
【００３９】
さらに、補助輪アーム６の舌片６ｂの貫通孔の位置と上記上部補助輪受け５の貫通孔５ａの位置を合わせて、一方の外側面からアーム固定ボルト１０ａを嵌め入れ、他方の外側面に出て来た当該アーム固定ボルト１０ａの軸部をアーム固定ナット１０ｂ内に嵌め入れて螺着する。
【００４０】
この様にして、この第２補助輪７を本体１の垂直部１ａ側に折り畳むことが出来るので第２補助輪７がじゃまにならない。また、昇降途中にある水平で狭小なスペースにおいて、この重量物運搬具Ａを回転させる時にも一時的に、この第２補助輪７を折り畳む構成は有効となる。さらに、再度、第２補助輪７を使用する時は、上記と逆の順番で取り付ければ良い。
【００４１】
また、本体１に対して荷台２は、取付け自在なので、この重量物運搬具Ａを車に積んで持ち運ぶ際や、使用しないで保管する時には、荷台２を外しておくと余計なスペースを取らないで済み、コンパクトかつ省スペースとなる。さらに、上記キャスター１１ａ、１１ｂは全て摩耗、損耗した場合、交換が可能であり便利である。また、補助輪４ａ、７ａは全て摩耗、損耗した場合、交換が可能であり便利である。
【００４２】
また、傾斜した運搬路にこの重量物運搬具Ａの自重の一部を支持させることとしたので、１つの傾斜した運搬路であれば、やぐらＣは１つで良く、やぐらＣの設置及び撤去に関わる工数及び時間が削減できることとなり、例えば、借室用変圧器の運搬においては、停電時間の大きな短縮につながる。
【００４３】
なお、上記実施の形態例では、本体１をアングル材から成るＬ型に形成した部材によって形成しているが、本体１を形成するのはアングル材に限るものではなく、角材や丸材などでも良い。また、重量物を運搬する動力としてチェーンブロック２３を使用しているが、動力はチェーンブロックに限るものではなく、この重量物運搬具Ａにおいて使用出来るものなら何でも良い。
【００４４】
さらに、運搬路を移動する際にコンパネ２４を敷き詰めているが、使用するのはコンパネに限るものではなく、もちろん他の板体でも良い。
【符号の説明】
【００４５】
Ａ    重量物運搬具    Ｂ    変圧器          Ｃ    やぐら
Ｄ    やぐら          Ｅ    台車
１    本体            １ａ  垂直部          １ｂ  角部
１ｃ  水平部          １ｄ  取っ手          １ｅ  貫通孔
１ｆ  ナット          １ｇ  アングル材      ２    板体部
２ａ  板体            ２ｂ  ボルト
３    小板体          ３ａ  ボルト           ４    第１補助輪
４ａ  補助輪          ４ｂ  第１補助輪取付板  ４ｃ  貫通長孔
４ｄ  貫通孔          ５    上部補助輪受け    ５ａ  貫通孔
６    補助輪アーム    ６ａ  貫通孔            ６ｂ  舌片
７    第２補助輪      ７ａ  補助輪            ８    下部補助輪受け
９    補助輪アームステー                      ９ａ  先端
１０ａ  アーム固定ボルト
１０ｂ  アーム固定ナット
１１ａ  （前輪）キャスター
１１ｂ  （後輪）キャスター
【図１】
2014133617.tif 000003
【図２】
2014133617.tif 000004
【図３】
2014133617.tif 000005
【図４】
2014133617.tif 000006
【図５】
2014133617.tif 000007
【図６】
2014133617.tif 000008
【図７】
2014133617.tif 000009
【図８】
2014133617.tif 000010
【図９】
2014133617.tif 000011
【図１０】
2014133617.tif 000012
【図１１】
2014133617.tif 000013
【図１２】
2014133617.tif 000014
【図１３】
2014133617.tif 000015